(57)【要約】      （修正有）【課題】衣服等の被連結部材から簡単に脱着でき、強度を向上させることが可能な連結具を提供する。【解決手段】被連結部材２間を磁石５により連結するための連結具１であって、被連結部材２の第１主面２ａ及び第１主面２ａに対向する第２主面２ｂを貫通する開口部２１の周縁に設けられたハトメ部３と、磁石５と、磁石５を内部に封入する封入部４とを有する。さらに、開口部２１内に着脱可能に嵌め込まれる嵌込部材６とを備え、封入部４は、１又は複数の材料で形成され、嵌込部材６が開口部２１内に嵌め込まれる際にハトメ部３と接触する封入部４の少なくとも一部を弾性部材で形成する。【選択図】図８
0003180490.tif 000002
【実用新案登録請求の範囲】
【請求項１】
被連結部材（２）間を磁石（５）により連結するための連結具（１）であって、
被連結部材（２）の第１主面（２ａ）及び前記第１主面（２ａ）に対向する第２主面（２ｂ）を貫通する開口部（２１）の周縁（２２）に設けられたハトメ部（３）と、
磁石（５）と、前記磁石（５）を内部に封入する封入部（４）とを含み、前記開口部（２１）内に着脱可能に嵌め込まれる嵌込部材（６）とを備え、
前記封入部（４）は１又は複数の材料で形成され、前記嵌込部材（６）が前記開口部（２１）内に嵌め込まれる際に前記ハトメ部（３）と接触する前記封入部（４）の少なくとも一部が弾性部材で形成されていることを含む連結具（１）。
【請求項２】
前記封入部（４）は、前記ハトメ部（３）と係合する溝部（４１）を外周面（４ｃ）上に備えることを含む請求項１に記載の連結具（１）。
【請求項３】
前記封入部（４）は、前記開口部（２１）内に埋設される軸部（４５）と、前記軸部（４５）の一端に配置され、前記第１主面（２ａ）から突出する第１端部（４６）と、前記軸部（４５）の他端に配置され、前記第２主面（２ｂ）から突出する第２端部（４７）とを含み、前記被連結部材（２）の延在方向に沿った前記第１端部（４６）及び前記第２端部（４７）の幅（Ｗ２、Ｗ３）が、前記開口部（２１）の開口幅（Ｗ４）よりも大きいことを含む請求項１に記載の連結具（１）。
【請求項４】
前記第１端部（４６）及び前記第２端部（４７）の少なくともいずれかの外周端（４６１、４７１）が、前記弾性部材で形成されていることを含む請求項３に記載の連結具（１）。
【請求項５】
前記磁石（５）が、前記第１端部（４６）内に配置されていることを含む請求項３又は４に記載の連結具（１）。
【請求項６】
前記第１端部（４６）と前記第２端部（４７）とが、それぞれ異なる材料で形成されていることを含む請求項３〜５のいずれか１項に記載の連結具（１）。
【請求項７】
前記第１端部（４６）及び前記第２端部（４７）の表面（４ａ、４ｂ）上に、他の連結具（１）と連結可能な凹部又は凸部からなる連結補助部（４８、４９）が配置されていることを含む請求項３〜６のいずれか１項に記載の連結具（１）。
【請求項８】
前記第１端部（４６）及び前記第２端部（４７）の少なくとも一方の外周端（４６１、４７１）上に、少なくとも１の切り欠き部（７）が形成されている請求項３〜７のいずれか１項に記載の連結具（１）。
【請求項９】
被連結部材（２）間を磁石（５）により連結するための連結具（１）であって、
被連結部材（２）の第１主面（２ａ）及び前記第１主面（２ａ）に対向する第２主面（２ｂ）を貫通し、間隔を空けて列設された複数の開口部（２１）の周縁（２１）にそれぞれ設けられた複数のハトメ部（３）と、
磁石（５）と、前記磁石（５）を内部に封入する封入部（４）とを含み、前記開口部（２１）内に着脱可能に嵌め込まれる嵌込部材（６）とを備え、
前記封入部（４）は、１又は複数の材料で形成されており、前記嵌込部材（６）が前記開口部（２１）内に嵌め込まれる際に前記ハトメ部（３）と接触する前記封入部（４）の少なくとも一部が弾性部材で形成されていることを含む連結具（１）。
【請求項１０】
前記被連結部材（２）が、衣類、収納具及びファスナーテープのいずれかを含む請求項１〜９のいずれか１項に記載の連結具（１）。
【考案の詳細な説明】
【技術分野】
【０００１】
本考案は、連結具に関し、例えば衣服、収納具等の留め部分に利用可能な連結具に関する。
【背景技術】
【０００２】
衣類、収納具等の連結具（留め具）として、ボタンの代わりに磁石を用いる構造が知られている。例えば、実開平５−７２９０１号公報（特許文献１）には、シャツの留め部分に一対の磁石を装着した留め具の例が開示されている。実用新案登録第３１６９７６８号公報（特許文献２）には、詰襟等に用いられる留め具として、磁石を弾性素材で包み込んだ留め具の例が開示されている。
【先行技術文献】
【特許文献】
【０００３】
【特許文献１】実開平５−７２９０１号公報
【特許文献２】実用新案登録第３１６９７６８号公報
【考案の概要】
【考案が解決しようとする課題】
【０００４】
しかしながら、特許文献１に記載される留め具は、衣類に磁石を直接取り付けているため、磁石を取り付けるための作業が困難である。磁石を取り付けた後も、洗濯などにより衣服から磁石が外れやすく、磁石が傷みやすい。
【０００５】
特許文献２に記載された留め具は、衣服に縫い付けられた板状又は膜状の弾性部材に形成された開口部から磁石を押し込んで、磁石を衣服と弾性部材との間に格納させている。このため、磁石の衣服への取り付けは容易である。磁石を格納した後は、磁石の挿入のための開口部が収縮して開口幅が狭まることで、磁石も外れにくい。しかしながら、特許文献２に記載される留め具は、留め具を構成する弾性部材が衣服に直接縫い付けられているため、留め具の脱着が困難である。留め具から磁石の出し入れを繰り返すことにより、留め具の強度が低下する場合もある。
【０００６】
上記課題を鑑み、本考案は、衣服等の被連結部材から簡単に脱着でき、強度を向上させることが可能な連結具を提供する。
【課題を解決するための手段】
【０００７】
上記課題を解決するために、本考案の態様によれば、被連結部材間を磁石により連結するための連結具であって、被連結部材の第１主面及び第１主面に対向する第２主面を貫通する開口部の周縁に設けられたハトメ部と、磁石と、磁石を内部に封入する封入部とを含み、開口部内に着脱可能に嵌め込まれる嵌込部材とを備え、封入部は１又は複数の材料で形成され、嵌込部材が開口部内に嵌め込まれる際にハトメ部と接触する封入部の少なくとも一部が弾性部材で形成されていることを含む連結具が提供される。
【０００８】
本考案に係る連結具は一実施態様において、封入部は、ハトメ部と係合する溝部を外周面上に備える。
【０００９】
本考案に係る連結具は別の一実施態様において、封入部は、開口部内に埋設される軸部と、軸部の一端に配置され、第１主面から突出する第１端部と、軸部の他端に配置され、第２主面から突出する第２端部とを含み、被連結部材の延在方向に沿った第１端部及び第２端部の幅（Ｗ２、Ｗ３）が、開口部の開口幅（Ｗ４）よりも大きい。
【００１０】
本考案に係る連結具は更に別の一実施態様において、第１端部及び第２端部の少なくともいずれかの外周端が、弾性部材で形成されている。
【００１１】
本考案に係る連結具は更に別の一実施態様において、磁石が、第１端部内に配置されている。
【００１２】
本考案に係る連結具は更に別の一実施態様において、第１端部と第２端部とが、それぞれ異なる材料で形成されている。
【００１３】
本考案に係る連結具は更に別の一実施態様において、第１端部及び第２端部の表面上に、他の連結具と連結可能な凹部又は凸部からなる連結補助部が配置されている。
【００１４】
本考案に係る連結具は更に別の一実施態様において、第１端部及び第２端部の少なくとも一方の外周端上に、少なくとも１の切り欠き部が形成されている。
【００１５】
本考案の他の態様によれば、被連結部材間を磁石により連結するための連結具であって、被連結部材の第１主面及び第１主面に対向する第２主面を貫通し、それぞれ間隔を空けて列設された複数の開口部の周縁にそれぞれ設けられた複数のハトメ部と、磁石と、磁石を内部に封入する封入部とを含み、開口部内に着脱可能に嵌め込まれる１又は複数の嵌込部材とを備え、封入部は、１又は複数の材料で形成されており、嵌込部材が開口部内に嵌め込まれる際にハトメ部と接触する封入部の少なくとも一部が弾性部材で形成されていることを含む連結具が提供される。
【００１６】
本考案に係る連結具は更に別の一実施態様において、被連結部材が、衣類、収納具及びファスナーテープのいずれかを含む。
【考案の効果】
【００１７】
本考案によれば、衣服等の被連結部材から簡単に脱着でき、強度を向上させることが可能な連結具が提供できる。
【図面の簡単な説明】
【００１８】
【図１】本考案の実施の形態に係る連結具の一部を構成する嵌込部材の一例を示す平面図である。
【図２】図１の嵌込部材の側面図である。
【図３】図２の嵌込部材のIII-III線に沿った断面図である。
【図４】図３の嵌込部材のIV-IV線に沿った断面図である。
【図５】本考案の実施の形態に係る連結具の一部を構成するハトメ部の一例を示す平面図である。
【図６】図５の被連結部材のVI−VI線に沿った断面図である。
【図７】本考案の実施の形態に係る連結具の被連結部材上への取付方法を表す概略図である。
【図８】本考案の実施の形態に係る連結具の一例を示す断面図である。
【図９】本考案の実施の形態に係る連結具を用いて２つの被連結部材間を連結した状態を示す断面図である。
【図１０】本考案の実施の形態に係る連結具の取付状態の例を示す断面図である。
【図１１】本考案の実施の形態に係る連結具の第１の変形例を示す断面図である。
【図１２】本考案の実施の形態に係る連結具の第２の変形例を示す部分断面図である。
【図１３】本考案の実施の形態に係る連結具の第３の変形例を示す部分断面図である。
【図１４】本考案の実施の形態に係る連結具の第４の変形例を示す部分断面図である。
【図１５】本考案の実施の形態に係る連結具の第５の変形例を示す側面図である。
【図１６】図１５に示す連結具を用いて２つの被連結部材間を連結した状態の例を表す部分断面図である。
【図１７】本考案の実施の形態に係る連結具の第６の変形例を表す平面図である。
【図１８】図１７に示す連結具の側面図である。
【図１９】本考案の実施の形態に係る連結具の第７の変形例を表す平面図である。
【図２０】本考案の実施の形態に係る連結具の第８の変形例を示す断面図である。
【図２１】本考案の実施の形態に係る連結具を衣類に取り付けた例を示す説明図である。
【図２２】本考案の実施の形態に係る連結具をシャツの袖口に取り付けた例を示す説明図である。
【図２３】被連結部材上に１つの連結具を配置した場合の例を示す平面図である。
【図２４】本考案の実施の形態に係る連結具を収納具に取り付けた例を示す説明図である。
【考案を実施するための形態】
【００１９】
以下に、図面を参照して本考案の実施の形態を説明する。以下の図面の記載においては、同一又は類似の部分には同一又は類似の符号を付している。なお、以下に示す実施の形態はこの考案の技術的思想を具体化するための装置、取付方法及び応用例を例示するものであって、この考案の技術的思想は、構成部品の構造、配置、材質等を下記のものに特定するものではない。
【００２０】
本考案の実施の形態に係る連結具１は、図９に示すように、２つの被連結部材２間を磁石５により連結するための連結具１である。各連結具１は、被連結部材２上に取り付けられたハトメ部３と、ハトメ部３内に嵌め込まれる嵌込部材６とを含む。
【００２１】
被連結部材２としては、例えば生地、ファスナーテープ、衣類、皮革類、収納具等が挙げられる。図６に示すように、被連結部材２上には、第１主面２ａ及び第１主面２ａに対向する第２主面２ｂを貫通する複数の開口部２１が設けられている。図６に示す例においては、被連結部材２上に、複数の開口部２１が等間隔で列設された例が開示されているが、必要に応じて１つの開口部２１のみが被連結部材２上に配置されても構わないことは勿論である。
【００２２】
図５に示すように、ハトメ部３は、開口部２１の周縁２２の全周を補強するように配置され、開口部２１の外形を定義する。図６に示すように、ハトメ部３は、被連結部材２の第１主面２ａ及び第２主面２ｂの両面上からそれぞれ突出するように配置され、被連結部材２の一部を被覆している。ハトメ部３及び開口部２１の外形は、図５に示すような円形に限られず、三角形、矩形、多角形等の様々な形状が採用可能である。ハトメ部３は、例えば、ポリアセタール（ＰＯＭ）、ポリアミド樹脂、ポリブチレンテレフタレート（ＰＢＴ）、ポリウレタン、ポリプロピレン等の樹脂を射出成形することにより、被連結部材２上に形成することができる。ハトメ部３の材質は、使用用途によって製造者が種々に変更可能であり、上記の材料に限定されないことは勿論である。
【００２３】
図１に示すように、嵌込部材６は、磁石５と、磁石５を内部に封入する封入部４とを含む。封入部４は１又は複数の材料で形成されている。図７及び図８を用いて後述するが、封入部４は、嵌込部材６が開口部２１内に嵌め込まれる際に、ハトメ部３と接触する外周部分（外周端４６１、４７１）が少なくとも弾性部材で形成されている。封入部４が備える弾性部材の弾性変形により、嵌込部材６が、開口部２１内に着脱可能に嵌め込まれる。
【００２４】
弾性部材としては、例えばシリコンゴム等の樹脂や熱可塑性エラストマー、その他ゴム素材が使用可能である。なお、弾性部材としては、外力を加えると変形し、外力付加を解除すれば元の形状に戻る性質の材料であれば、上記の材料には限定されない。
【００２５】
図８に示すように、封入部４の外周面４ｃ上には凹状の溝部４１が形成されている。溝部４１は、嵌込部材６が開口部２１内に嵌め込まれたときにハトメ部３と係合する。なお、本実施形態において、封入部４の外周面４ｃとは、封入部４が開口部２１内に収容されたときに被連結部材２の第１主面２ａ上又は第２主面２ｂ上をそれぞれ延在する嵌込部材６の主面を表面４ａ及び裏面４ｂとして定義した場合に、この表面４ａ及び裏面４ｂと交差する外周表面を意味する。
【００２６】
溝部４１の溝の深さＤは、被連結部材２の第１主面２ａと平行な方向に沿ったハトメ部３の幅Ｗ１と同等か、幅Ｗ１よりも大きく形成されていることが好ましい。溝部４１の溝底４２の大きさＳは、被連結部材２の第１主面２ａと垂直な方向に沿ったハトメ部３の高さＨ１と同等か、高さＨ１よりも数ｍｍ程度大きく形成されていることが好ましい。これにより、嵌込部材６とハトメ部３との係合がより確実となり、嵌込部材６が被連結部材２から外れにくくなる。
【００２７】
図２に示すように、封入部４は、側面視がＨ形状を有している。封入部４は、柱状の軸部４５と、軸部４５の一端に配置された第１端部４６と、軸部４５の他端に配置された第２端部４７とを含む。図８に示すように、軸部４５は、嵌込部材６が開口部２１内に嵌め込まれたときに開口部２１内に埋設される。第１端部４６は、嵌込部材６が開口部２１内に嵌め込まれたときに、第１主面２ａ上に延在するとともに第１主面２ａ上から突出する。第２端部４７は、嵌込部材６が開口部２１内に嵌め込まれたときに、第２主面２ｂ上に延在するとともに第２主面２ｂ上から突出する。図１〜図４に示すように、磁石５は、軸部４５、第１端部４６及び第２端部４７の各領域に延在している。磁石５の封入位置は図１〜図４に示す例に制限されないことは勿論である。
【００２８】
被連結部材２の延在方向、即ち図８の紙面左右方向に沿った第１端部４６及び第２端部４７の幅Ｗ２、Ｗ３は、開口部２１の開口幅Ｗ４よりも大きいことが好ましい。これにより嵌込部材６が開口部２１内に嵌め込まれた後は、第１端部４６及び第２端部４７が被連結部材２及びハトメ部３を挟み込んだ状態となるため、嵌込部材６が被連結部材２から外れにくくなる。
【００２９】
第１端部４６及び第２端部４７の少なくともいずれかの外周端４６１、４７１は、少なくとも弾性部材で形成されていることが好ましい。なお、外周端４６１、４７１とは、図２に示すように、嵌込部材６を側面から見た場合に、軸部４５から外周方向へ向けて突出する部分を指す。
【００３０】
図７に示すように、例えば、第１端部４６の外周端４６１が弾性部材で形成された場合は、封入部４（嵌込部材６）を開口部２１内に押し込む方向に力を加えることにより、外周端４６１が弾性変形し、開口部２１内を通過する。外周端４６１が開口部２１内を通過した後は、外周端４６１が弾性復帰して元の形状に戻る。その結果、図８に示すように、外周端４６１の溝部４１側の表面と溝部４１の溝底４２と外周端４７１の溝部４１側の表面がハトメ部３と当接し、嵌込部材６が被連結部材２上により確実に固定される。
【００３１】
図９は、本考案の実施の形態に係る連結具１を２つの被連結部材２にそれぞれ配置し、２つの連結具１同士を互いに連結させた状態を示す断面図である。図９の紙面上方の嵌込部材６の磁石５の磁性と、図９の紙面下方の嵌込部材６の磁石５の磁性とが異なるように、２つの嵌込部材６はそれぞれ被連結部材２の開口部２１内に埋設されている。図９においては、２つの磁石５の磁力によって２つの嵌込部材６が連結された状態になっている。
【００３２】
一般に、磁石５は、ボタン等に比べて高価である。更に磁石５は、衝撃に弱く、洗濯や汗に対して耐久性が低い場合がある。そのような磁石５を、衣類に直接取り付けて使用すると、長期間の利用により磁石５に腐食又は破損が生じることがある。磁石５を直接衣類に取り付けた場合は、縫製時或いは検針作業時に作業の邪魔になる場合もある。
【００３３】
本考案に係る連結具１によれば、磁石５は、嵌込部材６（封入部４）によって内部に封止されており、外気から保護されている。そのため、衝撃や水等の腐食原因となる物質から磁石５を保護することができる。その結果、長期間の使用によっても磁石５が腐食又は破損しにくくなるため、連結具１を繰り返し使用した場合においても、従来の留め具に比べて磁石５の長期間の使用による連結具１の強度低下を抑制できる。
【００３４】
また、本考案に係る嵌込部材６は、封入部４の第１端部４６及び第２端部４７の少なくともいずれかの外周端４６１、４７１が弾性素材で形成されている。このため、図７に示すように、ハトメ部３上に嵌込部材６の封入部４を対向させて、使用者が開口部２１内へ押し込む方向に力を加えることで、封入部４の外周端４６１が弾性変形する。その結果、図８に示すように、磁石５を内包する嵌込部材６が、開口部２１内に着脱可能に嵌め込まれる。開口部２１内への着脱は使用者の指などにより簡単に行うことができる。これにより縫製、検針等の作業を行う際は嵌込部材６を被連結部材２から取り外して行うことができるため、磁石５が縫製、検針作業の邪魔になることがなく、作業の効率化が図れる。
【００３５】
本考案に係る連結具１を取り付ける際は、被連結部材２上に所定の数の貫通孔を列設し、射出成形等により貫通孔の外周に沿ってハトメ部３を形成する。これにより、図５に示すように、中央部に開口部２１が形成されたハトメ部３を形成する。その後、図１０に示すように、被連結部材２上の開口部２１の所定の位置に所定の数の嵌込部材６を嵌め込めばよい。
【００３６】
（第１の変形例）
図１１に示すように、第１の変形例に係る連結具１ａは、ハトメ部３ａが金属材料で形成されている点が、図８に示す連結具１と異なる。他の構成は図８に示す連結具１と実質的に同様であるため重複した記載を省略する。ハトメ部３ａは、例えば、金属製のアイレットとワッシャーをハトメ取付装置等により開口部２１に沿って加締めること等によって取り付けることができる。ハトメ部３ａが金属材料で形成されることにより、開口部２１周辺の強度が向上するため、長期間の使用によっても破損が生じにくく、連結具１ａの強度をより向上させることができる。
【００３７】
（第２の変形例）
図１２に示すように、第２の変形例に係る連結具１ｂは、嵌込部材６ｂの封入部４の外周面４ｃ全体にわたってＶ字状の溝部４１ａが形成されている点が、図８に示す連結具１及び嵌込部材６と異なる。他の構成は、図８に示す連結具１と実質的に同様であるため重複した記載を省略する。図１２に示す連結具１ｂによれば、溝部４１ａがＶ字形状を有しているため、図８に示す連結具１に比べて着脱しやすい。また、様々な厚みの被連結部材２に対して図１２に示す嵌込部材６ｂを取り付けることができるため、被連結部材２の厚みに影響されにくい汎用性の高い連結具１ｂが得られる。
【００３８】
（第３の変形例）
図１３に示すように、第３の変形例に係る連結具１ｃは、嵌込部材６ｃの第１端部４６と第２端部４７の大きさが異なる点が、図８に示す連結具１及び嵌込部材６と異なる。図１３において、被連結部材２の延在方向、即ち図１３の紙面左右方向からみた第１端部４６の幅Ｗ２は、第２端部４７の幅Ｗ３よりも小さい。他の構成は図８に示す連結具１及び嵌込部材６と実質的に同様であるため重複した記載を省略する。図１３に示す連結具１ｃによれば、第１端部４６と第２端部４７とでハトメ部３及び被連結部材２を挟んだ状態で、第１端部４６の大きさを小さくできるため、連結具１ｃ及び嵌込部材６ｃの小型化が図れる。また、図１３に示す嵌込部材６ｃによれば、図８の嵌込部材６に比べて第１端部４６が開口部２１内に押し込みやすくなるため、図８の嵌込部材６に比べて着脱が容易になる。図１３においては、第１端部４６が第２端部４７よりも小さい例が開示されているが、この逆の構成も採用可能であることは勿論である。
【００３９】
（第４の変形例）
図１４に示すように、第４の変形例に係る連結具１ｄは、嵌込部材６ｄ内に埋設される磁石５が、第１端部４６の内部にのみ選択的に封入されている点が、図８に示す連結具１及び嵌込部材６と異なる。磁石５は第１端部４６の中央部分から外周端４６１に渡って延在している。また、図１４においては、第１端部４６の高さＨ２が、第２端部４７の高さＨ３よりも高い。他の構成は図８に示す連結具１と実質的に同様であるため重複した記載を省略する。図１４に示す連結具１ｄによれば、磁石５を一方の端部にのみ偏在させることで、被連結部材２の第２主面２ｂ側には磁石が配置されない。このため、第２主面２ｂ側に配置される他部材に対する磁石５の磁性の影響を小さくすることができる。なお、図１４に示す連結具１ｄの場合は、第２端部４７の外周端４７１が少なくとも弾性部材で形成されていれば、開口部２１への着脱が達成可能である。
【００４０】
（第５の変形例）
図１５及び図１６に示すように、第５の変形例に係る連結具１ｅは、嵌込部材６ｅの第１端部４６及び第２端部４７の少なくとも一方の表面４ａ、４ｂ上に、もう一方連結具１ｅと連結可能な凹部又は凸部からなる連結補助部４８、４９が配置されている点が、図８に示す連結具１及び嵌込部材６と異なる。他の構成は図８に示す連結具１及び嵌込部材６と実質的に同様であるため重複した記載を省略する。第５の変形例に係る嵌込部材６ｅによれば、連結補助部４８、４９により、連結具１ｅ同士を連結する場合の位置ずれが抑制されるため、連結具１ｅ同士の連結をよりスムーズに行うことができる。
【００４１】
（第６の変形例）
図１７及び図１８に示すように、第６の変形例に係る連結具１ｆは、嵌込部材６ｆの第１端部４６が、平面視で多角形（星形）の形状を有している点が、図８に示す連結具１及び嵌込部材６と異なる。他の構成は図８に示す連結具１と実質的に同様であるため重複した記載を省略する。第６の変形例に係る嵌込部材６ｆによれば、外観に優れた連結具１ｆが提供できる。
【００４２】
（第７の変形例）
第７の変形例に係る連結具１ｇは、嵌込部材６ｇの第１端部４６及び第２端部４７の少なくとも一方の外周端４６１、４７１に少なくとも１の切り欠き部７が形成される。図１９の例においては、第１端部４６の外周端４６１の周方向に沿って３つの切り欠き部７が形成された例が開示されている。切り欠き部７の数は、特に制限されない。他の構成は図８に示す連結具１及び嵌込部材６と実質的に同様であるため重複した記載を省略する。第７の変形例に係る連結具１ｇによれば、外周端４６１に切り欠き部７を配置することにより、嵌込部材６ｇを開口部２１内へより押し込みやすくすることができる。
【００４３】
（第８の変形例）
図２０に示すように、第８の変形例に係る連結具１ｈは、嵌込部材６ｈの封入部４が複数の材料で形成されており、第１端部４６と第２端部４７とがそれぞれ異なる材料で形成されている点が、図８に示す連結具１及び嵌込部材６と異なる。第１端部４６と第２端部４７は異なる色で着色されていてもよい。他の構成は図８に示す連結具１及び嵌込部材６と実質的に同様であるため重複した記載を省略する。第８の変形例に係る嵌込部材６ｈによれば、使用者が嵌込部材６ｈを開口部２１へ嵌め込む向きを変更することで、２種類の異なる外観を得ることができる。また、第１端部４６と第２端部４７は異なる色で着色することで、使用者が嵌込部材６ｈを嵌め込む向きを認識し易くできる。また、磁石５が封入部４内に封入されることにより保護されているため、磁石５の破損が抑制される。
【００４４】
（応用例）
図２１は、本考案の実施の形態に係る連結具１をシャツ１００の留め部分８ａ、８ｂに適用した場合の例を示す概略図である。シャツ１００の留め部分８ａ、８ｂには、ファスナーテープからなる被連結部材２が配置される。被連結部材２には、互いに間隔を空けて列設された複数の開口部２１の周縁に設けられたハトメ部３が配置されている。磁石５を内部に封入した嵌込部材６は、開口部２１の所定の位置に嵌め込まれている。対向する２つの嵌込部材６を近づけて嵌込部材６が有する磁石５の磁力で連結させることにより、シャツ１００が閉じられる。図２２は実施の形態に係る連結具１をシャツ１００の袖口１０１に用いた場合の例を示し、図２３は、被連結部材２上に図２３からは見えない１つの開口部を形成し、この開口部に連結具１を嵌め込んだ例を示す。図２４は、本考案の実施の形態に係る連結具１を収納具１０２に利用した例を示す。本考案に係る連結具１は、図２１〜図２４に例示した具体例に限られず、２つの部材を連結する様々な部品に利用可能である。
【００４５】
上記のように本考案の実施の形態を記載したが、この開示の一部をなす論述及び図面は、この考案を限定するものであると理解すべきではない。例えば、図１〜図４に示す嵌込部材６は、磁石５が軸部４５、第１端部４６、第２端部４７の各領域に延在している。しかしながら、嵌込部材６、６ｂ〜６ｈの各寸法及び磁石５の配置される位置及び寸法は、製造者の都合に応じて適宜変更可能であることは勿論である。例えば、磁石５は、軸部４５の内部のみに封入されていてもよい。図１４に示す例において、磁石５は、外周端４６１にまでは延在せずに、第１端部４６の中央部分にのみ配置されていても構わない。図１４に示す例において、磁石５が、第２端部４７の中央部分にのみ配置していても構わない。このように、本考案はここでは明示していない様々な態様を含むことは勿論であり、実施段階においてはその要旨を逸脱しない範囲において変形して具体化され得る。
【符号の説明】
【００４６】
１、１ａ〜１ｈ…連結具
２…被連結部材
３、３ａ…ハトメ部
４…封入部
５…磁石
６、６ｂ〜６ｈ…嵌込部材
７…切り欠き部
２１…開口部
２２…周縁
４１、４１ａ…溝部
４２…溝底
４５…軸部
４６…第１端部
４７…第２端部
４８…連結補助部
１００…シャツ
１０１…袖口
１０２…収納具
４６１…外周端
４７１…外周端
【図１】
0003180490.tif 000003
【図２】
0003180490.tif 000004
【図３】
0003180490.tif 000005
【図４】
0003180490.tif 000006
【図５】
0003180490.tif 000007
【図６】
0003180490.tif 000008
【図７】
0003180490.tif 000009
【図８】
0003180490.tif 000010
【図９】
0003180490.tif 000011
【図１０】
0003180490.tif 000012
【図１１】
0003180490.tif 000013
【図１２】
0003180490.tif 000014
【図１３】
0003180490.tif 000015
【図１４】
0003180490.tif 000016
【図１５】
0003180490.tif 000017
【図１６】
0003180490.tif 000018
【図１７】
0003180490.tif 000019
【図１８】
0003180490.tif 000020
【図１９】
0003180490.tif 000021
【図２０】
0003180490.tif 000022
【図２１】
0003180490.tif 000023
【図２２】
0003180490.tif 000024
【図２３】
0003180490.tif 000025
【図２４】
0003180490.tif 000026